(57)【要約】【課題】小型化を実現することができると共にミラーボックスの変形を防止することができる撮像装置を提供する。【解決手段】撮像装置１００は、レンズマウント１０３、マウント取付基部２０２ｃを有するミラーボックスユニット２０２、及び撮像素子ユニット２０４を光軸方向に関する被写体側から順に備え、マウント取付基部２０２ｃにレンズマウント１０３が接続されると共にミラーボックスユニット２０２に撮像素子ユニット２０４が接続され、マウント取付基部２０２ｃには側面シャーシ部材２０５及び側面シャーシ部材２０６ｂが接続され、側面シャーシ部材２０５及び側面シャーシ部材２０６ｂには底面シャーシ部材２０６ａが接続される。【選択図】図３
2015210360.tif 000002
【特許請求の範囲】
【請求項１】
レンズマウント部、マウント取付基部を有するミラーボックスユニット、及び撮像素子ユニットを光軸方向に関する被写体側から順に備え、前記マウント取付基部に前記レンズマウント部が接続されると共に前記ミラーボックスユニットに前記撮像素子ユニットが接続されている撮像装置において、
前記マウント取付基部には第１のシャーシ部材及び第２のシャーシ部材が接続され、前記第１のシャーシ部材及び前記第２のシャーシ部材には第３のシャーシ部材が接続されることを特徴とする撮像装置。
【請求項２】
前記第２のシャーシ部材と前記第３のシャーシ部材とが一体化された一体化シャーシ部材を備えることを特徴とする請求項１記載の撮像装置。
【請求項３】
前記一体化シャーシ部材と前記第１のシャーシ部材とがさらに一体化されることを特徴とする請求項２記載の撮像装置。
【請求項４】
前記第１のシャーシ部材及び前記第２のシャーシ部材の各々は前記撮像装置の底部及び前記撮像装置の光軸を含み且つ前記底部と平行な面の間に配置されていることを特徴とする請求項１乃至３のいずれか１項に記載の撮像装置。
【請求項５】
前記マウント取付基部は、前記第１のシャーシ部材が接続される第１の接続部と、前記第２のシャーシ部材が接続される第２の接続部とを有し、
前記第１の接続部及び前記第２の接続部の各々は、前記マウント取付基部の側面に配置される板状部材であり、
前記第１の接続部及び前記第２の接続部の各々の厚さは、前記マウント取付基部の光軸方向に関する長さよりも短く、前記第１の接続部及び前記第２の接続部の各々と前記マウント取付基部との間に入隅部を備えることを特徴とする請求項１乃至４のいずれか１項に記載の撮像装置。
【請求項６】
ミラーボックス及び撮像素子ユニット接続部を有するミラーボックスユニット、シャーシ部材、並びに、前記撮像素子ユニット接続部を介して前記ミラーボックスユニットと接続された撮像素子ユニットを光軸方向に関する被写体側から順に備える撮像装置において、
前記ミラーボックスユニットと前記撮像素子ユニット接続部とを繋ぐ第１の梁を備え、
前記第１の梁は光軸に沿うことを特徴とする撮像装置。
【請求項７】
前記ミラーボックスユニットは前記シャーシ部材と接続するためのシャーシ部材接続部を有し、
前記ミラーボックスと前記シャーシ部材接続部とを繋ぎ、前記ミラーボックスよりも剛性が小さい第２の梁を備えることを特徴とする請求項６記載の撮像装置。
【請求項８】
前記第２の梁は複数存在し、
前記撮像素子ユニット接続部と隣接する一の前記第２の梁の断面二次モーメントが、前記撮像素子ユニット接続部から離れた他の前記第２の梁よりも小さいことを特徴とする請求項７記載の撮像装置。
【請求項９】
一の前記第２の梁と他の前記第２の梁とを繋ぐ第３の梁を備えることを特徴とする請求項８記載の撮像装置。
【請求項１０】
前記ミラーボックスと前記第１の梁とを接続する第４の梁を備えることを特徴とする請求項６乃至８のいずれか１項に記載の撮像装置。
【請求項１１】
前記第１の梁及び前記第４の梁は、前記第２の梁よりも光軸方向に関する被写体側に配置されることを特徴とする請求項１０記載の撮像装置。
【発明の詳細な説明】
【技術分野】
【０００１】
本発明は撮像装置に関する。
【背景技術】
【０００２】
一眼レフカメラのようなレンズ交換式カメラにおいて、外力がカメラ本体とレンズとの接続部であるレンズマウント部に作用し、カメラ本体に備えられたミラーボックスが変形することがある。ミラーボックスが変形した場合、撮像素子とレンズマウント部の距離（以下、「フランジバック」という）が変化するため、ユーザがレンズの焦点を合わせることができなくなる。
【０００３】
ミラーボックスの変形を防止するために、ミラーボックスユニットを囲むように配置されたバッテリホルダユニット、ストロボベースユニット、サイドフレームユニット、及びボトムフレームユニットで一体に結合された所望の強度を有する結合体を構成し、当該結合体及びレンズマウント部を有するミラーボックスユニットがフロントカバー部材に固定された撮像装置が知られている（例えば、特許文献１参照）。
【先行技術文献】
【特許文献】
【０００４】
【特許文献１】特開２０１０−２４３６３４号公報
【発明の概要】
【発明が解決しようとする課題】
【０００５】
しかしながら、特許文献１のカメラでは、確かに所望の強度を有する結合体によってミラーボックスの変形を防止できるが、当該結合体をフロントカバー部材に固定した場合、ミラーボックス周辺のスペースが失われ、撮像装置の更なる小型化を実現することができない。
【０００６】
本発明の目的は、小型化を実現することができると共にミラーボックスの変形を防止することができる撮像装置を提供することにある。
【課題を解決するための手段】
【０００７】
上記目的を達成するために、本発明の撮像装置は、レンズマウント部、マウント取付基部を有するミラーボックスユニット、及び撮像素子ユニットを光軸方向に関する被写体側から順に備え、前記マウント取付基部に前記レンズマウント部が接続されると共に前記ミラーボックスユニットに前記撮像素子ユニットが接続されている撮像装置において、前記マウント取付基部には第１のシャーシ部材及び第２のシャーシ部材が接続され、前記第１のシャーシ部材及び前記第２のシャーシ部材には第３のシャーシ部材が接続されることを特徴とする。
【０００８】
上記目的を達成するために、本発明の撮像装置は、ミラーボックス及び撮像素子ユニット接続部を有するミラーボックスユニット、シャーシ部材、並びに、前記撮像素子ユニット接続部を介して前記ミラーボックスユニットと接続された撮像素子ユニットを光軸方向に関する被写体側から順に備える撮像装置において、前記ミラーボックスユニットと前記撮像素子ユニット接続部とを繋ぐ第１の梁を備え、前記第１の梁は光軸に沿うことを特徴とする。
【発明の効果】
【０００９】
本発明によれば、小型化を実現することができると共にミラーボックスの変形を防止することができる。
【図面の簡単な説明】
【００１０】
【図１】本発明の実施の形態に係る撮像装置の正面図である。
【図２Ａ】図１の撮像装置が有する撮像部の正面図である。
【図２Ｂ】図２Ａの撮像部の右側面図である。
【図３】図２Ａの撮像部を含む撮像装置の分解斜視図である。
【図４Ａ】図２Ａにおける右側面締結部の拡大図である。
【図４Ｂ】図４Ａの側面図である。
【図４Ｃ】図４Ａの斜視図である。
【図４Ｄ】図４ＡにおけるIV−IV線に沿う断面図である。
【図５Ａ】図２Ａにおけるミラーボックスユニットの変形例の構成を概略的に示す背面斜視図である。
【図５Ｂ】図５Ａのミラーボックスユニットの右側面図である。
【図５Ｃ】図５Ａのミラーボックスユニットの左側面図である。
【図５Ｄ】図５Ａのミラーボックスユニットの背面図である。
【図５Ｅ】図５Ａのミラーボックスユニットの上面図である。
【図６】図５Ａのミラーボックスユニットを含む撮像装置の分解斜視図である。
【発明を実施するための形態】
【００１１】
以下、本発明の実施の形態について図面を参照しながら詳述する。
【００１２】
図１は、本発明の実施の形態に係る撮像装置１００の正面図である。図１において、撮像装置１００は、レンズマウント１０３（レンズマウント部）、メインミラー１０８、前側外装部材１１３、上部外装部材１１５、及びシャッターボタン１１７を有する。
【００１３】
レンズマウント１０３は、例えば、バヨネット機構を有し、レンズ装置（不図示）と撮像装置１００とを接続する。メインミラー１０８は、後述するミラーボックス２０２に格納され、撮影光束を焦点板（不図示）に導く。また、メインミラー１０８は駆動機構（不図示）によって駆動され、具体的には、昇降可能に駆動し、シャッターボタン１１７が押下されたときには撮影光束から退避する位置に移動する。
【００１４】
撮像装置１００は撮像部１１６ａを内蔵し、前側外装部材１１３は撮像部１１６ａ（図２Ａ参照）の光軸方向に関する被写体側を覆い、上部外装部材１１５は撮像部１１６ａの上部を覆う。なお、前側外装部材１１３は後述するミラーボックスユニット２０２にビス３２４ａ，３２４ｂ，３２４ｃを介して接続されている（図３参照）。
【００１５】
シャッターボタン１１７は撮影時に押下され、撮像装置１００は、シャッターボタン１１７の押下が中途で中断されたとき（いわゆる半押し）に撮影準備動作として焦点調節動作及び測光動作を開始し、シャッターボタン１１７が完全に押下されたとき（いわゆる全押し）に露光動作を開始する。
【００１６】
図２Ａは、図１の撮像装置１００が有する撮像部１１６ａの正面図であり、図２Ｂは、図２Ａの撮像部１１６ａの右側面図であり、図３は、図２Ａの撮像部１１６ａを含む撮像装置１００の分解斜視図である。
【００１７】
図２Ａ及び図２Ｂにおいて、撮像部１１６ａは、レンズマウント１０３、ミラーボックスユニット２０２、撮像素子ユニット２０４、側面シャーシ部材２０５（第１のシャーシ部材）、底面シャーシ部材２０６ａ（第３のシャーシ部材）及び側面シャーシ部材２０６ｂ（第２のシャーシ部材）から構成される底側面シャーシ部材２０６（一体化シャーシ部材）、電気回路基板２１２、三脚ねじ２１８、並びにシャッターユニット２１９を有する。また、図３において、撮像装置１００は、基板保持部材３０７、ペンタプリズム３１０、バッテリーボックスユニット３１１、後側外装部材３１４を有する。
【００１８】
撮像部１１６ａは、レンズマウント１０３、ミラーボックスユニット２０２、シャッターユニット２１９、撮像素子ユニット２０４、及び電気回路基板２１２を光軸方向に関する被写体側から順に備える。ミラーボックスユニット２０２は光軸を中心とした円形状のマウント取付基部２０２ｃ（後述する図４Ａ乃至図４Ｄ参照。）を備え、当該マウント取付基部２０２ｃはレンズマウント１０３に対応する位置に配置され、且つ左側面締結部２０２ａ（第１の接続部）及び右側面締結部２０２ｂ（第２の接続部）を備える。左側面締結部２０２ａにはビス３２３ａによって側面シャーシ部材２０５が接続され、右側面締結部２０２ｂにはビス３２３ｂによって側面シャーシ部材２０６ｂが接続され、底面シャーシ部材２０６ａはビス等（不図示）によって側面シャーシ部材２０５及び側面シャーシ部材２０６ｂに接続される。すなわち、側面シャーシ部材２０５、側面シャーシ部材２０６ｂ及び底面シャーシ部材２０６ａは「コの字型」のシャーシを形成する。なお、底面シャーシ部材２０６ａは、ビス３２０ａ，３２０ｂによってミラーボックスユニット２０２の底部に接続される。
【００１９】
また、撮像装置１００では、側面シャーシ部材２０５及び側面シャーシ部材２０６ｂの各々は撮像装置１００の底部及び撮像装置１００の光軸を含み且つ撮像装置１００の底部と平行な面の間に配置されている。
【００２０】
撮像素子ユニット２０４はレンズマウント１０３に装着されたレンズ装置（不図示）を介して受光した光の光電変換を行う。撮像素子ユニット２０４にはＣＭＯＳ、ＣＣＤ、又はＣＩＤ等の撮像素子が使用される。電気回路基板２１２はビス３２５ａ，３２５ｂ，３２５ｃによって基板保持部材３０７及びバッテリーボックスユニット３１１に接続されると共にリード線やフレキシブルプリント基板等（いずれも不図示）を介して撮像素子ユニット２０４に接続される。撮像素子ユニット２０４が行った光電変換によって出力された出力信号は電気回路基板２１２に設けられた処理回路(不図示)によって処理される。なお、電気回路基板２１２が出力信号を他の電気基板回路(不図示)に伝達し、当該他の電気基板回路が出力信号を処理してもよい。
【００２１】
三脚ねじ２１８は、底面シャーシ部材２０６ａに配置され、雲台に撮像装置１００を固定する際に使用される。シャッターユニット２１９は、シャッター先幕（不図示）及びシャッター後幕（不図示）を備える。撮影開始前はシャッター先幕が撮像素子ユニット２０４への撮影光束を遮光する位置（以下、「遮光位置」という）にあると共にシャッター後幕が撮像素子ユニット２０４への撮影光束を遮光しない位置（以下、「露光位置」という）にある。シャッターボタン１１７を押下した時はシャッター先幕が遮光位置から露光位置へ移動する。次に、設定されたシャッター速度に応じた露光時間が経過した後、露光位置にあったシャッター後幕が遮光位置へ移動し、撮像装置１００は撮影を完了する。
【００２２】
基板保持部材３０７は電気回路基板２１２及び底側面シャーシ部材２０６を固定する。基板保持部材３０７には、ＳＵＳ、アルミニウム、鉄、チタン、マグネシウム、又は樹脂等が使用されるが、軽量化を実現するために樹脂が使用されることが好ましい。ペンタプリズム３１０は焦点板に結像した被写体像をファインダー接眼部(不図示)に導く。
【００２３】
バッテリーボックスユニット３１１は、撮像装置１００の全体の剛性を向上させるためにビス３２２ａ，３２２ｂによって側面シャーシ部材２０５に接続され、リチウムイオン電池を格納する。後側外装部材３１４は、撮像部１１６ａにおいて前側外装部材１１３に対向する位置に配置され、前側外装部材１１３と一体となって撮像部１１６ａを保護する。なお、前側外装部材１１３、上部外装部材１１５、及び後側外装部材３１４には、ＳＵＳ、アルミニウム、鉄、チタン、又はマグネシウム等の金属、若しくは樹脂等が使用される。特に、各外装部材の剛性を向上させる場合は金属を使用することが好ましく、各外装部材の軽量化を実現する場合は樹脂を使用することが好ましい。
【００２４】
図４Ａは図２Ａにおける右側面締結部２０２ｂの拡大図であり、図４Ｂは図４Ａの側面図であり、図４Ｃは図４Ａの斜視図であり、図４Ｄは図４ＡにおけるIV−IV線に沿う断面図である。
【００２５】
図４Ａ乃至図４Ｄにおいて、マウント取付基部２０２ｃの側面には板状部材の右側面締結部２０２ｂが配置される。右側面締結部２０２ｂの厚さはマウント取付基部２０２ｃの光軸方向に関する長さよりも短く、右側面締結部２０２ｂとマウント取付基部２０２ｃとの間には入隅部４０２ｄが存在する（図４Ｃ及び図４Ｄ参照）。なお、左側面締結部２０２ａは右側面締結部２０２ｂと同様の構成を有し、同様の効果を奏する。
【００２６】
撮像装置１００によれば、側面シャーシ部材２０５及び側面シャーシ部材２０６ｂが底面シャーシ部材２０６ａに接続されるので、レンズマウント１０３を介してマウント取付基部２０２ｃに加えられた外力を側面シャーシ部材２０５及び側面シャーシ部材２０６ｂから底面シャーシ部材２０６ａへ分散させてミラーボックスユニット２０２だけに当該外力が負荷されることを回避し、これにより、ミラーボックスユニット２０２の変形を防止できる。また、ミラーボックスユニット２０２周辺に配置された撮像装置１００の構成要素、例えば、バッテリホルダユニット、ストロボベースユニット、サイドフレームユニット、及びボトムフレームユニットをミラーボックスユニット２０２へ接続することなくミラーボックスユニット２０２の剛性を確保することができ、もってミラーボックスユニット２０２周辺にスペースを確保し、該スペースによって撮像装置の更なる小型化を実現することができる。
【００２７】
また、撮像装置１００によれば、側面シャーシ部材２０５及び側面シャーシ部材２０６ｂが左側面締結部２０２ａ及び右側面締結部２０２ｂを介してマウント取付基部２０２ｃに接続されるので、ミラーボックスユニット２０２のレンズマウント１０３近傍の剛性を向上させることができ、もってミラーボックスユニット２０２の変形を防止することができる。
【００２８】
上述した撮像装置１００では、側面シャーシ部材２０５及び側面シャーシ部材２０６ｂの各々は撮像装置１００の底部及び撮像装置１００の光軸を含み且つ撮像装置１００の底部と平行な面の間に配置されているので、結果として、側面シャーシ部材２０５及び側面シャーシ部材２０６ｂは小型化され、カメラの軽量化を図ることができる。
【００２９】
上述した撮像装置１００では、底面シャーシ部材２０６ａ及び側面シャーシ部材２０６ｂが底側面シャーシ部材２０６を構成するので、組立時の部品の数を低減でき、もって撮像装置の組立に要する時間を低減できる。なお、底面シャーシ部材２０６ａ及び側面シャーシ部材２０６ｂの夫々が独立したシャーシ部材であってもよく、側面シャーシ部材２０５と底側面シャーシ部材２０６が初めから一体化されていてもよい。特に後者により、組立時の部品の数を更に低減でき、もって撮像装置の組立に要する時間を更に低減できる。
【００３０】
各シャーシ部材（底面シャーシ部材２０６ａ及び側面シャーシ部材２０５，２０６ｂ）は、ミラーボックスユニット２０２の変形を防止する剛性を有することが好ましく、例えば、ＳＵＳ、アルミニウム、鉄、チタン、マグネシウム等の金属部材からなることが好ましい。
【００３１】
また、上述した撮像装置１００では、右側面締結部２０２ｂの厚さはマウント取付基部２０２ｃの光軸方向に関する長さより短く、右側面締結部２０２ｂとマウント取付基部２０２ｃとの間には入隅部４０２ｄが存在し、左側面締結部２０２ａは右側面締結部２０２ｂと同様の構成を有するので、レンズマウント１０３に外力が負荷されたときに、右側面締結部２０２ｂが入隅部４０２ｄで積極的に変形すると共に、左側面締結部２０２ａが入隅部（不図示）で積極的に変形することによって外力に起因する変形をほぼ吸収し、ミラーボックスユニット２０２全体に与える外力の影響を小さくすることができる。
【００３２】
図５Ａは図２Ａにおけるミラーボックスユニット２０２の変形例の構成を概略的に示す背面斜視図であり、図５Ｂは図５Ａのミラーボックスユニット５００の右側面図であり、図５Ｃは図５Ａのミラーボックスユニット５００の左側面図であり、図５Ｄは図５Ａのミラーボックスユニット５００の背面図であり、図５Ｅは図５Ａのミラーボックスユニット５００の上面図であり、図６は図５Ａのミラーボックスユニット５００を含む撮像装置１００の分解斜視図である。
【００３３】
図５Ａ乃至図５Ｅにおいて、ミラーボックスユニット５００は、ミラーボックス５０１、撮像素子ユニット接続部５２０ａ，５２０ｂ，５２０ｃ、シャーシ部材接続部５２１ａ，５２１ｂ，５２１ｃ，５２１ｄ、第１の梁５２２ａ，５２２ｂ，５２２ｃ、第２の梁５２３ａ，５２３ｂ，５２３ｃ，５２３ｄ、第３の梁５２５、及び第４の梁５２４ａ，５２４ｂ，５２４ｃを備える。
【００３４】
また、図６において、撮像装置１００は撮像部１１６ｂを内蔵し、撮像部１１６ｂは、レンズマウント１０３、ミラーボックスユニット５００、シャッターユニット２１９、シャーシ部材６０８、撮像素子ユニット２０４、及び電気回路基板２１２を光軸方向に関する被写体側から順に備え、ミラーボックスユニット５００の底部に底面シャーシ部材２０６ａを備える。
【００３５】
底面シャーシ部材２０６ａは、ビス３２０ａ，３２０ｂによってミラーボックスユニット５００の底部に接続され、シャーシ部材６０８は、ビス３２８ａ，３２８ｂによってバッテリーボックスユニット３１１に接続されると共にビス３２６ａ，３２６ｂ，３２６ｃ，３２８ｃによってミラーボックスユニット５００に接続され、電気回路基板２１２は、ビス３２５ａ，３２５ｂによってバッテリーボックスユニット３１１に接続されると共にビス３２５ｄによってシャーシ部材６０８に接続される。
【００３６】
撮像素子ユニット２０４は、撮像素子ユニット接続部５２０ａ，５２０ｂ，５２０ｃを介してミラーボックスユニット５００と接続される。第１の梁５２２ａ，５２２ｂ，５２２ｃは、ミラーボックスユニット５００と撮像素子ユニット接続部５２０ａ，５２０ｂ，５２０ｃとを繋ぎ、光軸に沿うように配置される。これにより、レンズマウント１０３を介してミラーボックスユニット５００へ加えられた外力を第１の梁５２２ａ，５２２ｂ，５２２ｃへ分散させてミラーボックス５０１だけに当該外力が負荷されることを回避し、もってミラーボックス５０１の変形を防止できる。また、ミラーボックスユニット５００の周辺に配置された撮像装置の構成要素、例えば、バッテリホルダユニット、ストロボベースユニット、サイドフレームユニット、及びボトムフレームユニットをミラーボックスユニットへ接続することなくミラーボックスユニット５００の剛性を確保することができ、もってミラーボックスユニット５００の周辺にスペースを確保し、該スペースによって撮像装置１００の更なる小型化を実現することができる。
【００３７】
シャーシ部材６０８は、シャーシ部材接続部５２１ａ，５２１ｂ，５２１ｃ，５２１ｄを介してミラーボックスユニット５００と接続される。なお、シャーシ部材接続部５２１ａ，５２１ｂ，５２１ｃと撮像素子ユニット接続部５２０ａ，５２０ｂ，５２０ｃとは直結していない。第２の梁５２３ａ，５２３ｂ，５２３ｃ，５２３ｄは、ミラーボックス５０１とシャーシ部材接続部５２１ａ，５２１ｂ，５２１ｃ，５２１ｄとを繋ぎ、ミラーボックス５０１よりも剛性が小さい。これにより、レンズマウント１０３に外力が加えられてもミラーボックス５０１よりも先に第２の梁５２３ａ，５２３ｂ，５２３ｃ，５２３ｄが変形し、もってミラーボックス５０１に対する外力の影響を小さくすることができる。
【００３８】
また、第２の梁５２３ａ，５２３ｂ，５２３ｃ，５２３ｄのうち第２の梁５２３ｃ，５２３ｄはミラーボックス５０１を支持することによってミラーボックスユニット５００の剛性の向上に寄与することができ、特に、第２の梁５２３ｃ，５２３ｄの各断面二次モーメントが大きいほどミラーボックスユニット５００の剛性の向上に更に寄与することができる。このとき、隣接する撮像素子ユニット接続部が存在しない第２の梁５２３ｄの断面二次モーメントを、撮像素子ユニット接続部５２０ｃと隣接する第２の梁５２３ｃの断面二次モーメントよりも大きくすることが好ましい。これにより、第２の梁５２３ｃを第２の梁５２３ｄよりも優先的に変形させ、シャーシ部材接続部５２１ｃの変形が第２の梁５２３ｃを介してミラーボックスユニット５００へ伝達されるのを抑制することができる。また、第２の梁５２３ｄは隣接する撮像素子ユニット接続部が存在しないので、シャーシ部材接続部５２１ｄの変形が第２の梁５２３ｄを介してミラーボックスユニット５００へ伝達され、ミラーボックスユニット５００が変形しても撮像素子ユニット接続部５２０ａ，５２０ｂ，５２０ｃの変形を抑制することができる。
【００３９】
さらに、第３の梁５２５は第２の梁５２３ｃと第２の梁５２３ｄとを繋ぐ。これにより、第２の梁５２３ｃにかかる荷重を第２の梁５２３ｄに分散することができ、もって第２の梁５２３ｃの見かけ上の剛性を向上させることができる。
【００４０】
また、第４の梁５２４ａ，５２４ｂ，５２４ｃはミラーボックス５０１と第１の梁５２２ａ，５２２ｂ，５２２ｃとを繋ぐ。これにより、ミラーボックスユニット５００へ加えられた光軸回りのモーメントによって第１の梁５２２ａ，５２２ｂ，５２２ｃが捻れるのを抑制することができ、もってレンズマウント１０３を介して加えられた外力のモーメントによるミラーボックスユニット５００の変形を防止できる。
【００４１】
なお、第１の梁５２２ａ，５２２ｂ，５２２ｃ及び第４の梁５２４ａ，５２４ｂ，５２４ｃは、第２の梁５２３ａ，５２３ｂ，５２３ｃ，５２３ｄよりも光軸方向に関する被写体側に配置されることが好ましい。これにより、レンズマウント１０３を介して加えられた外力に対する剛性を向上させることができ、もって当該外力によるミラーボックスユニット５００の変形を防止できる。
【００４２】
以上、本発明の各実施の形態について説明したが、本発明はこれらの実施の形態に何ら限定されるものではない。
【符号の説明】
【００４３】
１００  撮像装置
１０３  レンズマウント
２０２，５００  ミラーボックスユニット
２０２ｃ  マウント取付基部
２０４  撮像素子ユニット
２０５  側面シャーシ部材
２０６ａ  底面シャーシ部材
２０６ｂ  側面シャーシ部材
５０１  ミラーボックス
５２０ａ，５２０ｂ，５２０ｃ  撮像素子ユニット接続部
５２１ａ，５２１ｂ，５２１ｃ，５２１ｄ  シャーシ部材接続部
５２２ａ，５２２ｂ，５２２ｃ  第１の梁
５２３ａ，５２３ｂ，５２３ｃ，５２３ｄ  第２の梁
５２５  第３の梁
５２４ａ，５２４ｂ，５２４ｃ  第４の梁
６０８  シャーシ部材
【図１】
2015210360.tif 000003
【図２Ａ】
2015210360.tif 000004
【図２Ｂ】
2015210360.tif 000005
【図３】
2015210360.tif 000006
【図４Ａ】
2015210360.tif 000007
【図４Ｂ】
2015210360.tif 000008
【図４Ｃ】
2015210360.tif 000009
【図４Ｄ】
2015210360.tif 000010
【図５Ａ】
2015210360.tif 000011
【図５Ｂ】
2015210360.tif 000012
【図５Ｃ】
2015210360.tif 000013
【図５Ｄ】
2015210360.tif 000014
【図５Ｅ】
2015210360.tif 000015
【図６】
2015210360.tif 000016